(57)【要約】【課題】  自然環境に調和し、狭隘な敷地であっても多数の納骨が可能な集合廟の提供を課題とする。【解決手段】  円筒状の外周壁１０１からなる塔屋であって、外周壁１０１と同心円の第１の内壁１０８ａと、第１の内壁１０８ａの内側に同心円の第２の内壁１０８ｂを備え、外周壁１０１と第１の内壁１０８ａの間に緩やかな登り螺旋通路１１０を設け、第１の内壁１０８ａと第２の内壁１０８ｂの間には緩やかな下り螺旋通路１１０を設け、螺旋通路１１０に沿う前記第１の内壁１０８ａの通路から所定高さに所定間隔ごとにアーチ状に穿設された複数の納骨室１０９を備えたことを特徴とする塔屋状集合廟１００。  【選択図】    図１
2008174901.tif 000002
【特許請求の範囲】
【請求項１】
円筒状の外周壁からなる塔屋であって、外周壁から参詣者が通行可能な幅をあけてその内側に設けられた外周壁と同心円の第１の内壁と、第１の内壁の内側に参詣者が通行可能な幅をあけて設けられた外周壁と同心円の第２の内壁を備え、外周壁と第１の内壁の間に緩やかな登り螺旋通路を設け、第１の内壁と第２の内壁の間には緩やかな下り螺旋通路を設け、前記登り螺旋通路および下り螺旋通路に沿う前記第１の内壁の通路から所定高さに所定間隔ごとにアーチ状に穿設された複数の納骨室を備え、
前記塔屋の最上部には展望フロアを設け、展望フロアの屋上には直線翼垂直水平軸型の風力発電機と、雨水集合屋根と、そこで集められた雨水の貯水タンクを備え、
前記外周壁には、等間隔で複数の採光用開口窓または採光用孔と、風力で回転して発電し、経文が書き込まれた羽根が回転して供養すると共に経典読経音或いは読経類似音を発する小型の風力発電機を設けたことを特徴とする塔屋状集合廟。
【請求項２】
前記雨水貯水タンクには、ろ過装置及びオーバーフロー水の流路を備え、該ろ過装置を通過した雨水を予め定めた時間に開放させる自動弁と、それに接続された給水管路とを設け、雨水を給水管路により塔屋に設けられた納骨室に供給して納骨室の給水器に噴水状に噴出させ、さらに給水器に受けられた水を落差により、より下部に設けられた納骨室に順次供給し、最下部の納骨室の給水器に受けられた水を排水溝に排水する水供養装置を備え、
前記採光用孔には、光ファイバー先端を外に向けて設け、取り入れた外光を納骨室に導き、納骨室で分岐された光ファイバーのひとつにより献花器に花画像を投影し、別のひとつにより仏壇器に所望の３Ｄフォログラムによる故人顕彰像または立体映像を投影し、さらに分岐された光ファイバーと鏡により納骨室の照明を行う自然光照明手段を備えることを特徴とする請求項１記載の塔屋状集合廟。
【発明の詳細な説明】
【技術分野】
【０００１】
本発明は、都市部或いは狭隘な敷地に設けて好適な墓所施設に関し、詳しくは風雨の自然環境を利用した集合廟に関する。
【背景技術】
【０００２】
従来、都市部或いは狭隘な敷地に墓地を設けるための発明が提案されている。その一例である特許文献１は、地上施設と、地上施設に通じる地下施設からなり、地下施設には多数の遺骨収容体を収納保管する納骨室と参拝堂を設け、納骨室のラック内に高密度で収容保管した遺骨収容体を自動搬送可能な搬送設備により納骨室から参拝堂に搬送する構成とされている。
【０００３】
この発明のような墓所設備は、地上施設に充分なスペースを取れない場合好適であるが、地下施設の建設コストと、ラック収納の自動搬送設備投資とその維持管理に経費がかかる問題があった。
【０００４】
また、参拝者にとって墓所は、自然環境に調和し、風或いは雨に触れる自然のなかで、故人をしのぶことが望まれていた。
【０００５】
【特許文献１】特開２００３−１３８７８５号公報（第２頁、図４）
【発明の開示】
【発明が解決しようとする課題】
【０００６】
本発明は、自然環境に調和し、狭隘な敷地であっても多数の納骨が可能な集合廟の提供を課題とする。
【課題を解決するための手段】
【０００７】
本発明の塔屋状集合廟は、円筒状の外周壁からなる塔屋であって、外周壁から参詣者が通行可能な幅をあけてその内側に設けられた外周壁と同心円の第１の内壁と、第１の内壁の内側に参詣者が通行可能な幅をあけて設けられた外周壁と同心円の第２の内壁を備え、外周壁と第１の内壁の間に緩やかな登り螺旋通路を設け、第１の内壁と第２の内壁の間には緩やかな下り螺旋通路を設け、前記登り螺旋通路および下り螺旋通路に沿う前記第１の内壁の通路から所定高さに所定間隔ごとにアーチ状に穿設された複数の納骨室を備え、
前記塔屋の最上部には展望フロアを設け、展望フロアの屋上には直線翼垂直水平軸型の風力発電機と、雨水集合屋根と、そこで集められた雨水の貯水タンクを備え、
前記外周壁には、等間隔で複数の採光用開口窓または採光用孔と、風力で回転して発電し、経文が書き込まれた羽根が回転する供養とすると共に経典読経音或いは読経類似音を発する小型の風力発電機を設けたことを特徴とする。
【０００８】
また、前記雨水の貯水タンクには、ろ過装置及びオーバーフロー水の流路を備え、該ろ過装置を通過した雨水を予め定めた時間に開放させる自動弁と、それに接続された給水管路とを設け、雨水を給水管路により塔屋に設けられた納骨室に供給して納骨室の給水器に噴水状に噴出させ、さらに給水器に受けられた水を落差により、より下部に設けられた納骨室に順次供給し、最下部の納骨室の給水器に受けられた水を排水溝に排水する水供養装置を備え、
前記採光用孔には、光ファイバー先端を外に向けて設け、取り入れた外光を納骨室に導き、納骨室で分岐された光ファイバーのひとつにより献花器に花画像を投影し、別のひとつにより仏壇器に所望の３Ｄフォログラムによる故人顕彰像または立体映像を投影し、さらに分岐された光ファイバーと鏡により納骨室の照明を行う自然光照明手段を備えることを特徴とする。
【発明の効果】
【０００９】
本発明の塔屋状集合廟は、螺旋通路の壁面に納骨室を設けることにより、多くの納骨室を設けることができ、収容密度を高くすることができる。しかも、登り通路と、その内側の下り通路の両面から参拝できるため、納骨室はひとつおきにそれぞれの通路に開口させ、一方の通路では隣り合う納骨室間の間隔を充分にあけたることができる。
【００１０】
また、自然の風、雨を利用する風力発電機、雨水利用供養設備を備えるため、照明、供養設備が省エネルギーとなり、維持経費を少なくすることができる。  
【発明を実施するための最良の形態】
【００１１】
本発明の塔屋状集合廟の実施の形態を、以下図面を参照して詳細に説明する。  
【００１２】
図１は、本発明の一実施の形態の塔屋状集合廟の外観図である。
【００１３】
塔屋状集合廟１００は、円筒状の外周壁１０１に等間隔で複数の採光用開口窓１２が設けられ、また外周壁１０１の壁面には、小型の風力発電機１１が採光用開口窓１２近傍に設けられている。
【００１４】
風力発電機１１は、この例では、直線翼垂直水平軸型を用い、羽根には経文が書き込まれており、風により回転させることにより供養の念仏効果を呈すると共に、風きり音が、経典読経音或いは読経類似音を発するように形成されたものを設けている。これにより、風がある場合は、風力で回転して発電すると共に、前記採光用開口窓１２から塔屋の内外に読経類似音を流し、厳粛な雰囲気をかもし出させる。
【００１５】
塔屋状集合廟１００の地上部には、入り口１０２が設けられ、内部に入ると、円周の通路が緩い登り坂の螺旋通路となっている。図示しないが反対側には出口１０３が設けられ、下り坂の螺旋通路に連なっている。
【００１６】
塔屋状集合廟１００の最上部には展望フロア１０５を設け、展望フロア１０５の屋上には直線翼垂直水平軸型の風力発電機１０と、雨水集合屋根１０６と、そこで集められた雨水の貯水タンク３０（図４参照）を備える。
【００１７】
図２は、図１の塔屋状集合廟の外周壁を透視した図である。図２により螺旋通路１１０を説明する。
【００１８】
螺旋通路１１０は、１階の入り口１０２から右（又は左）方向円周の壁に沿って緩やかな登り勾配の螺旋通路１１０ａとなり、一周すると階上の螺旋通路１１０ｂに達する。最上階の螺旋通路１１０ｎは展望フロア１０５の入り口に達する。図示しないが、展望フロア１０５には第１の内壁１０８ａに設けられた出口が設けられ、第１と第２の内壁１０８ａ、１０８ｂとの間に下り螺旋通路が同様に設けられ、地上階の反対側の出口１０３に通じる。
【００１９】
図３は、塔屋状集合廟の納骨室を示す斜視図である。
【００２０】
この図は螺旋通路１１０上から外周壁１０１と、反対側の第１の内壁１０８ａを見た状態を示し、第１の内壁１０８ａには、所定間隔ごとに納骨室１０９を設ける。
【００２１】
図示した実施の形態では、螺旋通路１１０の床面から穿設された形の納骨室１０９を示したが、床面から所定の高さに設けても良い。
【００２２】
納骨室１０９内には、骨壷収納容器４５（或いは台）、仏壇器４４、献花器具などが収容される。（図５参照）
【００２３】
なお、本発明では、雨水を利用した給水器、光ファイバーによる投影器具を納骨室に設けることにより、自然を利用した供養を行う。
【００２４】
図４は、雨水を利用した給水器の構成を説明する図である。
【００２５】
塔屋の最上部の雨水集合屋根１０６に接続された雨水集合管路３１から流入した雨水は貯水タンク３０に蓄えられ、給水管路３３を通じて階下の納骨室１０９に自然落下により供給される。また、貯水タンク３０には、オーバーフロー水管路３２が設けられている。給水管路３３にはフィルター３４と自動弁３５が設けられ、濾過された雨水を予め定めた所定時間ごとに自動弁３５を開放して供給する。
【００２６】
給水管路３３を通じて上階の納骨室１０９内に設けられた給水器３６に噴水状に噴出させ、給水器３６の受け皿からさらに下階の納骨室１０９に給水管路３３を介して落差により雨水を給水する。
【００２７】
最下階の納骨室１０９内の給水器３６からの排水は排水管３７を介して排水溝３８に排水される。
【００２８】
前記給水器３６には、さらに粒状の水反応噴霧剤収納部を備えて、参拝者が所定位置に所定時間以上位置したことを検知する参拝者検知手段（公知の検知手段）の信号により水反応噴霧剤を所定量給水器に供給して、供養香煙を発生させる供養香煙発生装置を備えることができる。
【００２９】
このように、雨水の利用により自然を利用した種々の供養を行うことができる。
【００３０】
図５は、光ファイバーを利用した自然光照明手段の構成を説明する図である。
【００３１】
自然光照明手段は、外周壁１０１に設けた採光用孔１０１ａに光ファイバー４０の先端を外に向けて設け、取り入れた外光を納骨室１０９に導いて行う手段である。
【００３２】
納骨室１０９で分岐された光ファイバー４０のひとつを花画像投影機４２により壁面などに花画像を投影し献花器とする。
【００３３】
別の光ファイバー４０を３Ｄフォログラム投影機４３により所望の３Ｄフォログラムによる故人顕彰像または立体映像を仏壇器４４に投影する。なお、仏壇器４４は、透明樹脂で形成すれば３Ｄの投影をよりリアルに実現することができる。
【００３４】
さらに分岐された光ファイバー４０を鏡４１に反射させ、その照明光４１ａで納骨室１０９の照明を行う。
【００３５】
屋上に設けた直線翼垂直水平軸型の風力発電機１０、外周壁１０１に複数台設けられた風力発電機１１は、回転により読経類似音を発するように風車の羽根をスリット加工する。なお、読経類似音の発生は、羽根の風きり音に限ることなく、回転軸にピンを設けてオルゴール方式、シロホン方式、木琴方式とすることもできる。
【００３６】
これらの風力発電機１０により発電された電力は、塔屋内部に設けられた蓄電池（図示せず）に蓄え、蓄電器の電力により前記螺旋通路の非常時照明および、風力発電機が回転しない天候において風力発電機を回転させ経典読経音を放送することとする。
【００３７】
尚、第２の内壁１０８ｂの内側は、円筒状空間となっており、展望フロア１０５までのエレベータを設けることができる。なお、エレベータをハンドル或いはペダルにより人力で昇降する構造とすることが、省エネルギーとして望ましい。
【図面の簡単な説明】
【００３８】
【図１】本発明の実施の形態の塔屋状集合廟の外観図である。
【図２】図１の塔屋状集合廟の外周壁を透視した図である。
【図３】塔屋状集合廟の納骨室を示す斜視図である。
【図４】雨水を利用した給水器の構成を説明する図である。
【図５】光ファイバーを利用した自然光照明手段の構成を説明する図である。
【符号の説明】
【００３９】
１０    風力発電機
１１    風力発電機（小型）
１２    採光用開口窓
３０    貯水タンク
３１    雨水集合管路
３２    オーバーフロー水管路
３３    給水管路
３４    フィルター
３５    自動弁
３６    給水器
３７    排水管
３８    排水溝
４０    光ファイバー
４１    鏡
４１ａ  照明光
４２    花画像投影機
４３    ３Ｄフォログラム投影機
４４    仏壇器
４５    骨壷収納容器
１００    塔屋状集合廟
１０１    外周壁
１０１ａ  採光用孔
１０２    入り口
１０３    出口
１０５    展望フロア
１０６    雨水集合屋根
１０８ａ  第１の内壁
１０８ｂ  第２の内壁
１０９    納骨室
１１０    螺旋通路
１１０ａ、１１０ｂ、１１０ｎ  螺旋通路
【図１】
2008174901.tif 000003
【図２】
2008174901.tif 000004
【図３】
2008174901.tif 000005
【図４】
2008174901.tif 000006
【図５】
2008174901.tif 000007